(57)【要約】【課題】使用者に不快感を与えずにエアフィルターについた塵埃を小能力で効率よく確実に除去すること。【解決手段】計時手段５とフィルター清掃を行う時刻を設定する、フィルター清掃時刻設定手段３とフィルター清掃装置２にフィルター清掃開始信号を出力するフィルター清掃開始信号出力手段１３を具備し、フィルター清掃時刻設定手段３で設定した時刻にフィルター清掃装置２を作動させることにより、毎日、塵埃が取れやすい状態で使用者が設定した時刻にフィルター清掃を行うこととなり、塵埃を小能力で効率よく確実に除去でき、使用者に不快感を与えない。【選択図】図３
2005172261.tif 000002
【特許請求の範囲】
【請求項１】
空気調和機本体に、エアフィルターを有し、前記エアフィルターを清掃するフィルター清掃装置を具備した空気調和機において、時間を計る計時手段と、フィルター清掃を行う時刻を設定するフィルター清掃時刻設定手段と、前記フィルター清掃装置を作動させる時刻か否かを判定するフィルター清掃時刻判定手段と、前記フィルター清掃装置にフィルター清掃開始信号を出力するフィルター清掃開始信号出力手段とを具備し、前記フィルター清掃時刻設定手段で設定した時刻に前記フィルター清掃装置を作動させることを特徴とする空気調和機の制御装置。
【請求項２】
現在の曜日を検出する曜日検出手段と、フィルター清掃時刻ウィークリ−プログラミング手段を具備し、各曜日ごとに前記フィルター清掃時刻の設定を可能とすることを特徴とする請求項1記載の空気調和機の制御装置。
【請求項３】
空気調和機の電源投入を検出する電源投入検出手段を具備し、電源投入時に前記フィルター清掃装置を作動させることを特徴とする請求項１記載の空気調和機の制御装置。
【請求項４】
空調運転中であるか否かを判定する空調運転中判定手段を具備し、前記フィルター清掃時刻設定手段で設定された時刻に空調運転中の場合には、前記フィルター清掃装置を作動させないことを特徴とする請求項１記載の空気調和機の制御装置。
【請求項５】
空調運転終了を検出する空調運転終了検出手段を具備し、前記フィルター清掃時刻設定手段で設定された時刻に空調運転中で前記フィルター清掃装置が動作しなかった場合には、運転終了時に前記フィルター清掃装置を作動させることを特徴とする請求項４記載の空気調和機の制御装置。
【請求項６】
前記フィルター清掃時刻設定手段で設定された時刻に連続して空調運転中で前記フィルター清掃装置が動作しなかった回数をカウントするフィルター清掃装置不動作カウンターを具備し、フィルター清掃装置不動作カウンターのカウント値がある値に達した場合には、前記フィルター清掃装置を作動させることを特徴とする請求項４記載の空気調和機の制御装置。
【請求項７】
フィルター清掃スイッチを具備し、フィルター清掃スイッチがオンされた場合には、前記フィルター清掃装置を作動させることを特徴とする請求項１記載の空気調和機の制御装置。
【発明の詳細な説明】
【技術分野】
【０００１】
本発明は、フィルターの清掃を自動的に行うようにした空気調和機の制御装置に関するものである。
【背景技術】
【０００２】
従来、この種の空気調和機の制御装置は、塵埃の蓄積レベルを測定し、一定以上レベルを検出した場合にフィルター清掃装置を作動したり、空調運転開始時や空調運転時間を積算し、ある値に達した場合ににフィルター清掃装置を作動していた。また図５に示すようにファンモータのオン、オフを検出し、オフしたときにフィルター清掃装置を作動していた（例えば、特許文献１参照）。
【特許文献１】特開昭６３−１３０１１６号公報（第６−６頁、第４図）
【発明の開示】
【発明が解決しようとする課題】
【０００３】
しかしながら、上記従来の構成では、塵埃に水分や油分がが含まれた場合、停止中や、蓄積されていく間に塵埃が凝固することがあり、フィルター装置に塵埃がこびりつき除去しきれなかったり、強力な清掃能力が必要となるという課題を有していた。また、空気調和機が空調運転中にサーモオフ時や、除霜運転時にファンモータが停止した場合にもフィルター清掃装置が作動し、動作騒音が発生するため、使用者に不快感を与えるという課題を有していた。塵埃の蓄積レベルを測定し、一定以上レベルを検出した場合にフィルター清掃装置を作動したり、空調運転時間を積算し、ある値に達した場合にフィルター清掃装置を作動する場合にも、空調運転中に作動することとなり、使用者に不快感を与えるという課題を有する。
【０００４】
本発明はこのような従来の課題を解決するものであり、フィルター装置についた塵埃を小能力で効率よく確実に除去でき、さらに使用者に不快感を与えない空気調和機の制御装置を提供することを目的とする。
【課題を解決するための手段】
【０００５】
前記従来の課題を解決するために、本発明の空気調和機の制御装置は、計時手段とフィルター清掃を行う時刻を設定するフィルター清掃時刻設定手段とフィルター清掃装置にフィルター清掃開始信号を出力するフィルター清掃開始信号出力手段を具備するものである。
【０００６】
これによって、使用者がフィルター清掃時刻設定手段で設定した時刻に毎日、フィルター清掃装置を作動させ、設定した時間にフィルター清掃装置を動かすことが可能となり、毎日フィルター清掃を行うため、フィルター装置についた塵埃を小能力で効率よく確実に除去でき、さらに使用者に不快感を与えない空気調和機の制御装置を提供するとなる。
【発明の効果】
【０００７】
本発明の空気調和機の制御装置は、使用者に不快感を与えずにエアフィルターについた塵埃を小能力で効率よく確実に除去することができる。
【発明を実施するための最良の形態】
【０００８】
第１の発明は、空気調和機本体に、エアフィルターを有し、前記エアフィルターを清掃するフィルター清掃装置を具備した空気調和機において、計時手段とフィルター清掃を行う時刻を設定するフィルター清掃時刻設定手段と、前記フィルター清掃装置にフィルター
清掃開始信号を出力するフィルター清掃開始信号出力手段とを具備し、フィルター清掃時刻設定手段で設定した時刻に前記フィルター清掃装置を作動させることにより、毎日、塵埃が取れやすい状態で使用者が設定した時刻にフィルター清掃を行うこととなり、塵埃を小能力で効率よく確実に除去でき、使用者に不快感を与えないという効果が得られる。
【０００９】
第２の発明は、特に、第１の発明の空気調和機の制御装置において、曜日検出手段と、フィルター清掃時刻ウィークリ−プログラミング手段を具備し、各曜日ごとに前記フィルター清掃時刻の設定が可能とすることにより、曜日毎の使用状況に合わせたフィルター清掃時刻の設定が可能となり、利便性を向上することができる。
【００１０】
第３の発明は、特に、第１の発明の空気調和機の制御装置において、空気調和機の電源投入を検出する電源投入検出手段を具備し、電源投入時に前記フィルター清掃装置を作動させることにより、空気調和機を使用しないときにはブレーカーを切るという使用条件において使用前には前記フィルター清掃装置が作動することとなり、塵埃を確実に除去することができる。
【００１１】
第４の発明は、特に、第１の発明空気調和機の制御装置において、空調運転中であるか否かを判定する空調運転中判定手段を具備し、前記フィルター清掃時刻設定手段で設定された時刻に空調運転中の場合には、前記フィルター清掃装置を作動させないことにより、空調運転中にはフィルター清掃装置の騒音が発生しなくなり、使用者に不快感を与えなくすることができる。
【００１２】
第５の発明は、特に、第4の発明の空気調和機の制御装置において、空調運転終了を検出する空調運転終了検出手段を具備し、前記フィルター清掃時刻設定手段で設定された時刻に空調運転中で前記フィルター清掃装置が動作しなかった場合には、運転終了時に前記フィルター清掃装置を作動させることにより、設定された時刻に空調運転中であれば運転終了時に前記フィルター清掃装置が動作することとなり、使用者に不快感を与えずに塵埃を確実に除去することができる。
【００１３】
第６の発明は、特に、第４の発明の空気調和機の制御装置において、前記フィルター清掃時刻設定手段で設定された時刻に連続して空調運転中で前記フィルター清掃装置が動作しなかった回数をカウントするフィルター清掃装置不動作カウンターを具備し、フィルター清掃装置不動作カウンターのカウント値がある値に達した場合には、前記フィルター清掃装置を作動させることにより、長期空調運転中もフィルター清掃が可能となり、塵埃を自動的に除去することができる。
【００１４】
第７の発明は、特に、第１の発明の空気調和機の制御装置において、フィルター清掃スイッチを具備し、フィルター清掃スイッチがオンされた場合には、前記フィルター清掃装置を作動させることにより、空気調和機の運転状態にかかわらずフィルター清掃が可能となり、使用者の必要に応じて塵埃を自動的に除去することができる。
【００１５】
以下、本発明の実施の形態について、図面を参照しながら説明する。なお、この実施の形態によって本発明が限定されるものではない。
【００１６】
（実施の形態）
図１は、本発明の実施の形態における空気調和機の概観図を示すものである。
【００１７】
図１において、エアフィルター１はエアフィルター1を通過する空気から塵埃を除去し、フィルター清掃装置２はエアフィルター１に蓄積した塵埃を除去する。
【００１８】
図２は本実施の形態の空気調和機の制御装置のブロック図で、フィルター清掃時刻設定手段３はフィルター清掃装置２を作動させるフィルター清掃時刻を設定し、フィルター清掃時刻ウィークリープログラミング手段４はフィルター清掃時刻の設定を各曜日ごとに記憶し、フィルター清掃時刻判定手段７に出力する。
【００１９】
計時手段５は時刻を計時し、フィルター清掃時刻判定手段７に出力する。
【００２０】
曜日検出手段６は曜日を検出し、フィルター清掃時刻判定手段７に出力する。
【００２１】
フィルター清掃時刻判定手段７は、フィルター清掃時刻ウィークリープログラミング手段４と曜日検出手段６の出力値から、計時手段５が検出した時刻が、フィルター清掃装置２を作動させる時刻か否かを判定する。
【００２２】
計時手段５が検出した時刻が、フィルター清掃装置２の作動させる時刻の場合は、空調運転中判定手段８に出力し、計時手段５が検出した時刻が、フィルター清掃装置２の作動させる時刻でない場合は出力しない。
【００２３】
空調運転中判定手段８はフィルター清掃時刻判定手段７からの出力を受けると空調運転中であるか否かの判定を行い、空調運転中の場合には、フィルター清掃装置不動作カウンター９に出力し、空調運転中でなければ、フィルター清掃開始信号出力手段１３に出力する。
【００２４】
フィルター清掃装置不動作カウンター９は空調運転中判定手段８からの信号を受けるとフィルター清掃装置不動作回数Ｎに１を加えたのち、Ｎ＝Ａの場合はフィルター清掃開始信号出力手段１３に出力し、Ｎ≠Ａの場合は空調運転終了検出手段１０に出力する。また、フィルター清掃開始信号出力手段１３から出力を受けるとフィルター清掃装置不動作回数Ｎを初期化（Ｎ＝０）する。
【００２５】
空調運転終了検出手段１０はフィルター清掃装置不動作カウンター９からの信号を受けると運転状態を監視し、空調運転終了を検出するとフィルター清掃開始信号出力手段１３に出力する。
【００２６】
電源投入検出手段は１１は電源が投入されるとフィルター清掃開始信号出力手段１３に出力する。
【００２７】
フィルター清掃スイッチ１２はオンされるとフィルター清掃開始信号出力手段１３に出力する。
【００２８】
フィルター清掃開始信号出力手段１３は空調運転中判定手段８、フィルター清掃装置不動作カウンター９、電源投入検出手段１１、フィルター清掃スイッチ１２から出力を受けるとフィルター清掃開始信号をフィルター清掃装置２とフィルター清掃装置不動作カウンター９に出力する。
【００２９】
フィルター清掃装置２はフィルター清掃開始信号出力手段１３からの出力により動作を開始する。
【００３０】
図３は本実施の形態の空気調和機の制御装置のメインルーチンのフローチャートであり、以下にその動作を説明する。
【００３１】
ステップ1では電源投入検出手段１１で電源の投入を検出し、ステップ２ではフィルタ
ー清掃開始信号出力手段１３が、フィルター清掃開始信号をフィルター清掃装置２とフィルター清掃装置不動作カウンター９に出力する。
【００３２】
ステップ３ではフィルター清掃装置不動作カウンター９のフィルター清掃装置不動作回数Ｎを初期化(Ｎ＝０)する。
【００３３】
ステップ４では計時手段５が時刻を検出し、ステップ５では曜日検出手段６が曜日を検出する。
【００３４】
ステップ６ではフィルター清掃時刻設定手段３とフィルター清掃ウィークリープログラミング手段４で設定されたフィルター清掃開始時刻を読み込む。
【００３５】
ステップ７ではフィルター清掃時刻判定手段７により、フィルター清掃時刻ウィークリープログラミング手段４と曜日検出手段６の出力値から計時手段６が検出した時刻が、フィルター清掃装置２を作動させる時刻か否かを判定する。
【００３６】
計時手段６が検出した時刻が、フィルター清掃装置２の作動させる時刻の場合は、空調運転中判定手段８に出力し、ステップ８へ移行する。計時手段６が検出した時刻が、フィルター清掃装置２の作動させる時刻でない場合はステップ４へ戻る。
【００３７】
ステップ８では  空調運転中判定手段８が空調運転中であるか否かを判定を行い、空調運転中の場合には、フィルター清掃装置不動作カウンター９に出力しステップ9へ移行する。空調運転中でなければ、フィルター清掃開始信号出力手段１３に出力しステップ１２へ移行する。
【００３８】
ステップ９では  フィルター清掃装置不動作カウンター９がフィルター清掃装置不動作回数Ｎに１を加え、ステップ１０ではフィルター清掃装置不動作回数Ｎがあらかじめ設定された整数値Ａ（Ａ＞０）であるかを判定する。
【００３９】
Ｎ≠Ａの場合は空調運転終了検出手段１０に出力し、ステップ１１へ移行し、Ｎ＝Ａの場合はフィルター清掃開始信号出力手段１３に出力し、ステップ１２へ移行する。
【００４０】
ステップ１１では  空調運転終了検出手段１０により、空調運転終了を検出するとフィルター清掃開始信号出力手段１３に出力し、ステップ１２へ移行する。空調運転が継続状態の場合はステップ１３へ移行する。
【００４１】
ステップ１３では計時手段５が時刻を検出し、ステップ１４では曜日検出手段６が曜日を検出する。
【００４２】
ステップ１５ではフィルター清掃時刻設定手段３とフィルター清掃ウィークリープログラミング手段４で設定されたフィルター清掃開始時刻を読み込む。
【００４３】
ステップ１６ではフィルター清掃時刻判定手段７により、フィルター清掃時刻ウィークリープログラミング手段４と曜日検出手段６の出力値から計時手段６が検出した時刻が、フィルター清掃装置２を作動させる時刻か否かを判定する。
【００４４】
計時手段６が検出した時刻が、フィルター清掃装置２の作動させる時刻の場合は、空調運転中判定手段８に出力し、ステップ８へ戻る。計時手段６が検出した時刻が、フィルター清掃装置２の作動させる時刻でない場合はステップ１１へ戻る。
【００４５】
ステップ１２ではフィルター清掃開始信号出力手段１３がフィルター清掃開始信号をフィルター清掃装置２とフィルター清掃装置不動作カウンター９に出力する。
【００４６】
図４は本実施の形態の空気調和機の制御装置のサブルーチンのフローチャートであり、以下にその動作を説明する。
【００４７】
ステップ１７でフィルタースイッチがオンされるとサブルーチンの割り込み処理が開始され、フィルター清掃開始信号出力手段１３に出力する。
【００４８】
ステップ１８ではフィルター清掃開始信号出力手段１３がフィルター清掃開始信号をフィルター清掃装置２とフィルター清掃装置不動作カウンター９に出力する。
【００４９】
ステップ１９ではフィルター清掃装置不動作カウンター９のフィルター清掃装置不動作回数Ｎを初期化(Ｎ＝０)する。
【００５０】
上記実施の形態において、  計時手段５とフィルター清掃を行う時刻を設定する、フィルター清掃時刻設定手段３とフィルター清掃装置２にフィルター清掃開始信号を出力するフィルター清掃開始信号出力手段１３を具備し、フィルター清掃時刻設定手段３で設定した時刻にフィルター清掃装置２を作動させることにより、毎日、塵埃が取れやすい状態で使用者が設定した時刻にフィルター清掃を行うこととなり、塵埃を小能力で効率よく確実に除去でき、使用者に不快感を与えないという効果が得られる。
【００５１】
また、本実施の形態では、曜日検出手段６と、フィルター清掃時刻ウィークリ−プログラミング手段４を具備し、各曜日ごとにフィルター清掃時刻の設定が可能とすることにより、曜日毎の使用状況に合わせたフィルター清掃時刻の設定が可能となり、利便性を向上することができる。
【００５２】
また、本実施の形態では、空気調和機の電源投入を検出する電源投入検出手段１１を具備し、電源投入時にフィルター清掃装置２を作動させることにより、空気調和機を使用しないときにはブレーカーを切るという使用条件において使用前には前記フィルター清掃装置が作動することとなり、塵埃を確実に除去することができる。
【００５３】
また、本実施の形態では、空調運転中であるか否かを判定する空調運転中判定手段８を具備し、フィルター清掃時刻設定手段３で設定された時刻に空調運転中の場合には、フィルター清掃装置２を作動させないことにより、空調運転中にはフィルター清掃装置の騒音が発生しなくなり、使用者に不快感を与えなくすることができる。
【００５４】
また、本実施の形態では、空調運転終了を検出する空調運転終了検出手段１０を具備し、フィルター清掃時刻設定手段３で設定された時刻に空調運転中でフィルター清掃装置２が動作しなかった場合には、運転終了時にフィルター清掃装置２を作動させることにより、設定された時刻に空調運転中であれば運転終了時にフィルター清掃装置２が動作することとなり、使用者に不快感を与えずに塵埃を確実に除去することができる。
【００５５】
また、本実施の形態では、フィルター清掃時刻設定手段３で設定された時刻に連続して空調運転中でフィルター清掃装置２が動作しなかった回数をカウントするフィルター清掃装置不動作カウンター９を具備し、フィルター清掃装置不動作カウンター９のカウント値がある値に達した場合には、フィルター清掃装置２を作動させることにより、長期空調運転中もフィルター清掃が可能となり、塵埃を自動的に除去することができる。
【００５６】
また、本実施の形態では、フィルター清掃スイッチ１２を具備し、フィルター清掃スイ
ッチがオンされた場合には、フィルター清掃装置２を作動させることにより、空気調和機の運転状態にかかわらずフィルター清掃が可能となり、使用者の必要に応じて塵埃を自動的に除去することができる。
【産業上の利用可能性】
【００５７】
以上のように、本発明にかかる空気調和機の制御装置は、エアフィルターについた塵埃を小能力で効率よく確実に除去することが可能となるので、換気、空気清浄等の用途にも適用できる。
【図面の簡単な説明】
【００５８】
【図１】本発明の実施の形態における空気調和機の概観図
【図２】本発明の実施の形態における空気調和機の制御装置のブロック図
【図３】本発明の実施の形態における空気調和機の制御装置のメインルーチンのフローチャート
【図４】本発明の実施の形態における空気調和機の制御装置のサブルーチンのフローチャート
【図５】従来の制御内容を示すフローチャート
【符号の説明】
【００５９】
１  エアフィルター
２  フィルター清掃装置
３  フィルター清掃時刻設定手段
４  フィルター清掃時刻ウィークリープログラミング手段
５  計時手段
６  曜日検出手段
７  フィルター清掃時刻判定手段
８  空調運転中判定手段
９  フィルター清掃装置不動作カウンター
１０  空調運転終了検出手段
１１  電源投入検出手段
１２  フィルター清掃スイッチ
１３  フィルター清掃開始信号出力手段
【図１】
2005172261.tif 000003
【図２】
2005172261.tif 000004
【図３】
2005172261.tif 000005
【図４】
2005172261.tif 000006
【図５】
2005172261.tif 000007